(57)【要約】【課題】本発明は、フィルタ部の除塵がより十分に行なわれる電気掃除機を提供することを目的とする。【解決手段】本発明は、集塵ユニットと、電動送風機と、電気コードを巻き解き自在に巻装するコードリールとを有し、前記集塵ユニットには、前記電動送風機により吸引される吸引空気中の塵埃を濾過する第１フィルタと、この第１フィルタを通過した更に細かな細塵を濾過する第２フィルタとを有し、前記第１フィルタ、および前記第２フィルタに打撃振動を加えて除塵する第１除塵手段と、吸引空気が通過する前記第２フィルタ部の下流側面を弾いて除塵する第２除塵手段とを備えたことを特徴とする。【選択図】図１
2007260037.tif 000002
【特許請求の範囲】
【請求項１】
集塵ユニットと、電動送風機と、電気コードを巻き解き自在に巻装するコードリールとを有し、
前記集塵ユニットは、前記電動送風機により吸引される吸引空気中の塵埃を濾過するフィルタ部を有し、
前記フィルタ部に付着した塵埃を除塵する第１除塵手段と第２除塵手段とを備えたことを特徴とする電気掃除機。
【請求項２】
請求項１記載の電気掃除機において、
前記第１除塵手段は、前記フィルタ部の周縁部に打撃力を加える打撃体を有し、
前記第２除塵手段は、吸引空気が通過する前記フィルタ部の下流側面に弾く弾き部材を有することを特徴とする電気掃除機。
【請求項３】
集塵ユニットと、電動送風機と、電気コードを巻き解き自在に巻装するコードリールとを有し、
前記集塵ユニットは、前記電動送風機により吸引される吸引空気中の塵埃を濾過する第１フィルタと、この第１フィルタを通過した更に細かな細塵を濾過する第２フィルタとを有し、
前記第１フィルタ、および前記第２フィルタに打撃振動を加えて除塵する第１除塵手段と、吸引空気が通過する前記第２フィルタの下流側面を弾いて除塵する第２除塵手段とを備えたことを特徴とする電気掃除機。
【請求項４】
請求項３記載の電気掃除機において、
第１除塵手段の打撃振動を前記第１フィルタ、および前記第２フィルタの周縁部に加えることを特徴とする電気掃除機。
【請求項５】
請求項２または４記載の電気掃除機において、
第１除塵手段の打撃を前記周縁部の上側部位に加えることを特徴とする電気掃除機。
【請求項６】
請求項１〜５の何れかに記載された電気掃除機において、
前記コードリールの回転により、前記第１除塵手段と前記第２除塵手段を駆動することを特徴とする電気掃除機。
【発明の詳細な説明】
【技術分野】
【０００１】
本発明は、集塵ユニットに備わるフィルタの除塵を行う除塵手段を有する電気掃除機に関するものである。
【背景技術】
【０００２】
除塵手段を備える電気掃除機は、例えば、特開２００５−３０５０１５号公報（特許文献１）に記載されている。
【０００３】
特許文献１に示される電気掃除機は、塵埃を濾過するフィルタ部を設けた集塵ユニットが設けられている。
【０００４】
フィルタ部は、塵埃を含む吸引空気が流通する上流側にネットフイルタを、下流側に波形フィルタを有する。波形フィルタの下流側面（裏面）を弾いて除塵する除塵手段を有する。
【０００５】
【特許文献１】特開２００５−３０５０１５号公報
【発明の開示】
【発明が解決しようとする課題】
【０００６】
上記電気掃除機では、除塵手段で波形フィルタの除塵が行なわれるが、ネットフイルタの除塵は行なわれない。また、波形フィルタの弾きで除塵されなかったり、落下途中で波形フィルタに再付着する塵埃により必ずしも除塵は十分ではなかった。
【０００７】
本発明は、上記の問題に鑑み、フィルタ部の除塵がより十分に行なわれる電気掃除機を提供することを目的とする。
【課題を解決するための手段】
【０００８】
本発明は、集塵ユニットと、電動送風機と、電気コードを巻き解き自在に巻装するコードリールとを有し、前記集塵ユニットには、前記電動送風機により吸引される吸引空気中の塵埃を濾過するフィルタ部が設けられ、前記フィルタ部に付着した塵埃を除塵する第１除塵手段と第２除塵手段とを備えたことを特徴とする。
【０００９】
本発明は、集塵ユニットと、電動送風機と、電気コードを巻き解き自在に巻装するコードリールとを有し、前記集塵ユニットには、前記電動送風機により吸引される吸引空気中の塵埃を濾過する第１フィルタと、この第１フィルタを通過した更に細かな細塵を濾過する第２フィルタとを有し、前記第１フィルタ、および前記第２フィルタに打撃振動を加えて除塵する第１除塵手段と、吸引空気が通過する前記第２フィルタ部の下流側面を弾いて除塵する第２除塵手段とを備えたことを特徴とする。
【発明の効果】
【００１０】
本発明によれば、第１除塵手段と第２除塵手段により、除塵が行なわれるので、フィルタ部の除塵がより十分に行なわれる。フィルタ部の目詰まりが解消され、電気掃除機の吸引力がより良く回復する。
【発明を実施するための最良の形態】
【００１１】
本発明の実施例について、図面を引用して説明する。
【００１２】
まず、図１、図２、図３、図４に沿って電気掃除機の概要から説明する。
【００１３】
電気掃除機１は、本体ケース２を有する。本体ケース２は、下本体ケース３と上本体ケース４を有する。集塵ユニット５は、本体ケース２の前側内部に着脱自在に置かれる。
【００１４】
電動送風機６は、本体ケース２の後側内部に置かれる。本体ケース２に内置される除塵ユニット７は、電動送風機６と集塵ユニット５との間に位置する。
【００１５】
コードリール９は、図４に示されるように、電動送風機６の横に並んで本体ケース２に内置される。コードリール９は、リール１０とリール１０に巻き解き自在に巻装されるコード１１を有する。
【００１６】
コード１１は、使用者が引くことにより、リール１０から解かれる。コード１１の巻き取りは、コードリール９の巻きバネ（図示せず）の力で自動的に行なわれる。
【００１７】
蓋体８は、図２に示すように、上本体ケース４に回動自在に支持される。本体ケース２の前側内部には、図４に示すように、集塵ユニット５を収納する集塵ユニット収納部５３を有する。
【００１８】
集塵ユニット５の出し入れは、図２に示すように、蓋体８を開いてする。掃除運転中には、蓋体８は閉じている。
【００１９】
集塵ユニット５は、図７、図８に示すように、集塵部２０、フィルタ部２１を有する。
【００２０】
集塵部２０は、サイクロン式の集塵室を有し、軽い塵埃と重い塵埃が分離されて集塵される。集塵部２０で集塵されなかった塵埃がフィルタ部２１に集塵される。集塵部２０やフィルタ部２１に溜った塵埃は、図８に示すように、フィルタ部２１の上部が集塵部２０から離れるようにＬ字状に開いて行なう。
【００２１】
次に本発明の主要部になる集塵、および除塵に関して説明する。
【００２２】
まず、集塵について、図８〜図１２を主に引用して述べる。
【００２３】
フィルタ部２１は、細目のネットフイルタ２２（第１フィルタ）と、波間が縦に走る波形フィルタ２３（第２フィルタ）を有する。
【００２４】
ネットフイルタ２２（第１フィルタ）は、細かな砂塵等を濾過して捕集する。電動送風機６により吸引される流通する吸引空気がネットフイルタ２２（第１フィルタ）を通過する際に、吸引空気中に含まれる細かな塵埃等が濾過される。
【００２５】
波形フィルタ２３（第２フィルタ）は、第１フィルタで、濾過されなかった更に細かな塵埃を濾過して捕集する。第２フィルタは、通気性を有する不織布で形成され、極細かな塵埃まで濾過するので、電気掃除機の排気は清浄度が極めて高い。
【００２６】
第１フィルタは、図１１〜図１３に示すように、周縁に第１フィルタの枠部２２０を有する。第１フィルタの枠部２２０にポリエステル製のネットが張られて第１フィルタが形成される。第１フィルタの枠部２２０は、外周寄りの外側面に環状のシール用リップ２２１を有する。
【００２７】
第１フィルタの枠部２２０と同じ可撓性を有する合成樹脂で形成されている薄手のシール用リップ２２１は、良く撓んでシールパッキングとして良く機能する。
【００２８】
第１フィルタは、図１１、図１３に示すように、下部側に塵埃排出穴２２２を有する。波形フィルタ２３（第２フィルタ）より除塵された塵埃は、この塵埃排出穴２２２から排出され、集塵ユニット５の下部に設けたポケット５１に溜まるように構成している。
【００２９】
第２フィルタは、図１１〜図１３に示すように、周縁に第２フィルタの枠部２３０を有する。第２フィルタの枠部２３０は、可撓性を有する合成樹脂で形成されている。この合成樹脂の枠部２３０が、波形フィルタ２３（第２フィルタ）と一体に形成されている。
【００３０】
第２フィルタの枠部２３０は、外側面に環状のシール用リップ２３１を有する。この薄手のシール用リップ２３１は、枠部２３０と同じ可撓性を有する合成樹脂で形成されているので、良く撓んでシールパッキングとして良く機能する。
【００３１】
フィルタ部２１は、細目のネットフイルタ２２（第１フィルタ）の枠部２２０と、波形フィルタ２３（第２フィルタ）の枠部２３０が抱き合うように嵌合して形成される。
【００３２】
ネットフイルタ２２（第１フィルタ）のネット面と、波形フィルタ２３（第２フィルタ）の山頂部は、数ｍｍ程度の間隔が設けられている。第１フィルタのネット面と、第２フィルタの山頂部が離間しているので、波間が縦に走るように置かれた波形フィルタの第２フィルタから除塵された塵埃は途中で引っ掛って止まることなく下まで落下する。
【００３３】
また、図１１、図１３に示すように、波形フィルタ２３（第２フィルタ）の下端は、第１フィルタの塵埃排出穴２２２の下端よりも少し上がったところに位置する。これにより、波形フィルタ２３（第２フィルタ）の下部には、小さな細塵溜部２３２が設けられる。
【００３４】
波形フィルタ２３（第２フィルタ）より除塵された塵埃は、細塵溜部２３２にも溜まる。また、ネットフイルタ２２（第１フィルタ）から除塵された塵埃の一部も細塵溜部２３２に溜まる。
【００３５】
波形フィルタ２３（第２フィルタ）は、枠部２３０の下部にヒンジ用の支持軸２３３を有する。この支持軸２３３は、集塵部２０の下部に設けられたヒンジ用の支持軸受部５２に回動自在に支持される。これにより、フィルタ部２１は集塵部２０に対し、開閉自在に設けられる。
【００３６】
フィルタ部２１が集塵部２０に対して閉じられると、第１フィルタの枠部２２０のシール用リップ２２１が集塵部２０に密着して集塵部２０とフィルタ部２１の気密が良く保たれる。これにより、空気漏れがなく塵埃の吸い込みが良く行なわれる。
【００３７】
集塵ユニット５の集塵部２０は、図７、図８に示すように、ハンドル２４を有する。ハンドル２４は、フィルタ部２１の係合溝穴２５に係合離脱自在なるフック３０を有する。フック３０の操作は、ハンドル２４に設けた押しボタン２６により行なわれる。
【００３８】
次に、除塵について図２〜図６を引用して説明する。
【００３９】
除塵ユニット７は、図５、図６に示すように、除塵ユニットベース２８を有し、この除塵ユニットベース２８に関連する部品が取り付けられて構成される。
【００４０】
除塵ユニットベース２８は、吸引空気が流通する流通路の通気口４０を有する。集塵ユニット５のフィルタ部２１を通過した吸引空気は、通気口４０を流通して電動送風機６に吸い込まれて行く。
【００４１】
除塵ユニットベース２８の裏面側には、図５に示すように通気口４０を外側から囲う二重のリング４１が設けられる。この二重のリング４１に気密シール（図示せず）を介して電動送風機６が取り付けられる。このため、通気口４０を流通した吸引空気は、電動送風機６に漏れなく吸い込まれる。
【００４２】
除塵ユニットベース２８の表面側には、図６に示すように、波形フィルタ２３（第２フィルタ）の除塵をする第２除塵手段４２を有する。第２除塵手段４２は、円形の回転棒体４２０と、回転棒体４２０の回りに巻装するように備えた螺旋バネ４２１（弾き部材）を有する。
【００４３】
着脱自在なる集塵ユニット５が本体ケース２に取り付けられると、第２除塵手段４２と
波形フィルタ２３（第２フィルタ）が隣合うように置かれる。そして、波間が縦に走るように置かれた波形フィルタ２３（第２フィルタ）の波間に、第２除塵手段４２の螺旋バネ４２１が入り込むように置かれる。
【００４４】
第２除塵手段４２の回転により、螺旋バネ４２１の位置が移動し、波形フィルタ２３（第２フィルタ）の山頂に設けられた補強部材２３４が螺旋バネ４２１で弾かれる。この弾きにより、波形フィルタ２３（第２フィルタ）の除塵が行なわれる。除塵された塵埃は波間に沿って落下し、細塵溜部２３２に溜まる。
【００４５】
なお、螺旋バネ４２１で弾かれるところは、図１０に示す〔チリおとしガイド〕の範囲内である。ここは、波形フィルタ２３（第２フィルタ）の山頂がポリオキシメチレンなどの補強部材２３４により補強され、螺旋バネ４２１により弾きに対する磨耗に十分に耐える強度になっている。
【００４６】
螺旋バネ４２１に代え、弾き板等を用いて波形フィルタ２３（第２フィルタ）の山頂を弾くようにすることも可能である。
【００４７】
集塵ユニット５が集塵ユニット収納部５３にセットされているときには、第２フィルタのシール用リップ２３１は除塵ユニットベース２８の表面側に密着して気密が保たれている。このため、第２フィルタを通過した吸引空気は、もれなく通気口４０を流通し、電動送風機６へと流れる。
【００４８】
第２除塵手段４２は、図５に示すように、除塵歯車４３を有する。この除塵歯車４３は、回転棒体４２０に端部に結合するように取り付けられ、除塵ユニットベース２８の裏面側の外側面に位置するように設けられる。
【００４９】
中間歯車４４は、除塵歯車４３に下隣に噛み合わせて置かれる。コードリール９のリール１０に形成された外周ギヤ４５は、中間歯車４４に噛み合う。コードリール９の回転は、中間歯車４４を介して除塵歯車４３に伝えられ、第２除塵手段４２の駆動が行なわれる。
【００５０】
第１除塵手段は、蓋体８に設けた打撃体４６（図２に示す）と、付勢バネ４７と、除塵ユニットベース２８に設けたカム４８（図５に示す）を有する。
【００５１】
打撃体４６は、図１、図２、図３、図９に示すように、打撃部４６０と、蓋体８の支持軸受部４９に回動自在に支持される支持部４６１と、カム４８の外周に摺接する摺動部４６２とを有する。打撃部４６０は、付勢バネ４７で、常に打撃方向に付勢されている。
【００５２】
第１フィルタの枠部２２０は、図９、図１３に示すように、上側に窪んだ被打撃部６０を有する。この被打撃部６０を打撃体４６の打撃部４６０で叩いてフィルタ部２１を震わせ、フィルタ部２１の除塵を行なう。
【００５３】
第１除塵手段のカム４８は、図５に示すように、第１除塵手段のカム軸棒６４に設けられる。このカム軸棒６４は除塵ユニットベース２８に回転自在に支持される。さらに、カム軸棒６４は第２除塵手段４２の上側に位置し、かつ除塵ユニットベース２８の表面側に置かれるように設けられる。
【００５４】
カム軸棒６４は、除塵歯車４３が位置する端部側に第１ベルトプーリ６１を有する。第２除塵手段４２の回転棒体４２０は、除塵歯車４３が設けられる端部側に第２ベルトプーリ６２を有する。伝達ベルト６３が第１ベルトプーリ６１と第２ベルトプーリ６２に掛けられる。
【００５５】
この伝達ベルト６３により、第１除塵手段と第２除塵手段４２は回転力が伝達されるように連結される。
【００５６】
第１除塵手段は、カム軸棒６４、カム４８、第１ベルトプーリ６１、打撃体４６と、付勢バネ４７を有する。
【００５７】
第１除塵手段、第２ベルトプーリ６２、伝達ベルト６３、除塵歯車４３、中間歯車４４は、吸引空気が流通する流通路外に配置される。このため、これらの回転力を伝える回転力伝達部品は、塵埃を含む吸引空気にさらされることが無く、塵埃の付着が生じず、回転力の良好なる伝達が維持される。また、第１除塵手段を吸引空気の流路外にもうけたので、シール部材を設ける必要がなく、吸引空気の漏れによる吸い込み仕事率の低下を防げる。
【００５８】
また、打撃体４６の摺動部４６２、カム４８、付勢バネ４７、打撃部４６０にも塵埃の付着が生じず、打撃体４６の円滑な打撃動作が行なわれる。さらに、打撃部４６０や被打撃部６０に付着する塵埃により、打撃による衝撃力が吸収されて失われることがないので、打撃による除塵作用が失われずに維持される。
【００５９】
第１ベルトプーリ６１、第２ベルトプーリ６２、伝達ベルト６３による第１除塵手段と第２除塵手段の回転力伝達は、歯車の組合せに替えることができる。しかし、歯車の組合せ
に比べ、伝達ベルト６３による回転力伝達機構は、除塵ユニットベース２８の上部側面に突き出す突出量が少なく、結果的に電気掃除機をコンパクトにすることができる。
【００６０】
また、中間歯車４４を介さず、除塵歯車４３をコードリール９の外周ギヤ４５に直接噛み合わせることもできる。しかし、除塵歯車４３を外周ギヤ４５に直接噛み合わせると、除塵歯車の外径を大きくしなければならないので、除塵ユニットベース２８の前側に除塵歯車の外周が突出する。この突出を抑えるために、中間歯車を用いた。除塵歯車の外周が突出するのを抑えることにより、結果的に電気掃除機をコンパクトにすることができる。
【００６１】
次に除塵の動作について、まとめて説明する。
【００６２】
コードリール９のコード１１の巻き解きにともない、外周ギヤ４５、中間歯車４４、除塵歯車４３を介して第２除塵手段が回動する。これに併せて、第１ベルトプーリ６１、第２ベルトプーリ６２、伝達ベルト６３を介して第１除塵手段にも回転力が伝達され、第１除塵手段が回動する。
【００６３】
コードリール９の回動により、第２除塵手段と第１除塵手段が一緒に作動してフィルタ部２１の除塵が行なわれる。第１除塵手段と第２除塵手段により、除塵が行なわれるので、フィルタ部の除塵がより十分に行なわれる。フィルタ部の目詰まりが解消され、電気掃除機の吸引力がより良く回復する。
【００６４】
なお、フィルタ部は、波形のフィルタ等を含む一種類のフイルタで形成することも可能である。
【００６５】
また、フィルタ部は、吸引空気中の塵埃を濾過する第１フィルタと、この第１フィルタを通過した更に細かな細塵を濾過する第２フィルタとを有する。そして、第１フィルタ、および前記第２フィルタは第１除塵手段の打撃振動により除塵される。
【００６６】
これに加え、第１フィルタよりも更に細かな細塵を捕集する第２フィルタ部は、第２除塵手段で下流側面を弾いて除塵する。第２フィルタは、除塵方式を異にする第１除塵手段、第２除塵手段により除塵されるので、第２フィルタの目詰まりが解消され、電気掃除機の吸引力がより良く回復する。
【００６７】
上述したように第１フィルタはポリエステル製のネットが張られたような構成である。第２フィルタは、不織布を波形に形成した第１フィルタよりは厚地である。
【００６８】
第１フィルタは、ポリエステル製のネットが張られた構成であるので、第１除塵手段の打撃振動により除塵が良く行なわれる。第２フィルタは、不織布を波形に形成した厚地のものであるので、第２除塵手段による弾きにより第２フィルタの表面に浮き上がった塵埃を第１除塵手段による打撃で第２フィルタから剥離させる。これらの異なる除塵手段を併用することにより、不織布を波形に形成した厚地の第２フィルタは、良く除塵が行なわれる。
【００６９】
厚地の第２フィルタ内に付着した細塵が、第２除塵手段による弾きにより、第２フィルタの表面に浮き出て来る。そこに、第１除塵手段による打撃振動が作用して細塵の除塵が良く行なわれるのである。
【００７０】
第１除塵手段は、カム４８の回転により打撃体４６が打撃作動して除塵を行なう。
【００７１】
カム４８の回転により付勢バネ４７に抗して、第１フィルタの被打撃部６０から離れた打撃体４６の打撃部４６０は、カム４８のカム山が打撃体４６の摺動部４６２からさるように回転移動すると、付勢バネ４７の力で被打撃部６０を打つ。
【００７２】
この被打撃部６０の打撃部４６０による打撃は、フィルタ部２１の周縁上部を行なうので、下面や側面を打つよりも除塵が良く行なわれる。第１フィルタはネットのフィルタが縦に置かれ、第２フィルタは波形のフィルタが波間を縦に走らすように置かれているので、上部を叩くことにより、除塵された塵埃は波間に沿って下方にスムーズに落下する。
【００７３】
また、第１フィルタの枠部２２０の窪みに形成した被打撃部６０は、合成樹脂の厚みが少ない分だけ、打撃部４６０による打撃が強く生じるので、除塵が良く行なわれる。
【００７４】
打撃体４６や付勢バネ４７は、蓋体８に設けられている。この打撃体４６や付勢バネ４７は、フィルタ部２１側に設けることができる。フィルタ部２１は集塵ユニット５に組み合わされている。集塵ユニット５の掃除に際しては、フィルタ部２１は集塵ユニット５と一緒に着脱される。打撃体４６や付勢バネ４７を蓋体８に設けることにより、集塵ユニット５の着脱に対する支障にならず、集塵ユニット５の掃除やメンテナンスがし易い。
【００７５】
打撃体４６は、実施例では２つであるが、１つまたは３つ以上設けることも可能である。
【００７６】
また、上記実施例では、付勢バネ４７に押圧バネを用いているが、引きバネやねじりバネを用いることも可能である。
【図面の簡単な説明】
【００７７】
【図１】本発明の実施例に係わるもので、電気掃除機の縦断面図である。
【図２】本発明の実施例に係わるもので、蓋体を開いた状態を示す電気掃除機の外観図斜視図である。
【図３】本発明の実施例に係わるもので、蓋体が取り外された状態を示す電気掃除機の外観図斜視図である。
【図４】本発明の実施例に係わるもので、上側本体ケースを取り外して内部を示した電気掃除機の斜視図である。
【図５】本発明の実施例に係わるもので、除塵ユニットを後側から示した斜視図である。
【図６】本発明の実施例に係わるもので、除塵ユニットを前から示した斜視図である。
【図７】本発明の実施例に係わるもので、集塵ユニットの外観斜視図である。
【図８】本発明の実施例に係わるもので、フィルタ部が開かれた状態を示す集塵ユニットの外観斜視図である。
【図９】本発明の実施例に係わるもので、前記第１除塵手段の打撃体で打撃されるフィルタ部の斜視図である。
【図１０】本発明の実施例に係わるもので、波形フィルタ側から示したフィルタ部の斜視図である。
【図１１】本発明の実施例に係わるもので、ネットフイルタから示したフィルタ部の正面図である。
【図１２】本発明の実施例に係わるもので、図１１のＡ−Ａ断面図である。
【図１３】本発明の実施例に係わるもので、図１１のＢ−Ｂ断面図である。
【符号の説明】
【００７８】
１…電気掃除機、２…本体ケース、３…下本体ケース、４…上本体ケース、５…集塵ユニット、６…電動送風機、７…除塵ユニット、８…蓋体、９…コードリール、１０…リール、１１…電気コード、２０…集塵部、２１…フィルタ部、２１…ネットフィルタ（第１フィルタ）、２３…波形フィルタ（第２フィルタ）、２４…ハンドル、２５…係合溝穴、２６…操作ボタン、２８…除塵ユニットベース、２８…除塵ユニットベース、３０…フック、４０…通気口、４１…ニ重のリング、４２…第２除塵手段、４３…除塵歯車、４４…中間歯車、４５…外周ギヤ、４６…第１除塵手段の打撃体、４７…付勢バネ、４８…カム、４９…支持軸受部、５１…ポケット、５３…軸受部、５３…集塵ユニット収納部、６０…被打撃部、６１…第１ベルトプーリ、６２…第２ベルトプーリ、６３…伝達ベルト、６４…カム軸、２２０…枠部、２２１…シール用リップ、２２２…塵埃排出穴、２３０…第２フィルタの枠部、２３１…シール用リップ、２３２…細塵溜部、２３３…支持軸、２３４…補強部材、４２０…回転棒体、４２１…螺旋バネ（弾き部材）、４６０…打撃部、４６１…支持部、４６２…摺動部。
【図１】
2007260037.tif 000003
【図２】
2007260037.tif 000004
【図３】
2007260037.tif 000005
【図４】
2007260037.tif 000006
【図５】
2007260037.tif 000007
【図６】
2007260037.tif 000008
【図７】
2007260037.tif 000009
【図８】
2007260037.tif 000010
【図９】
2007260037.tif 000011
【図１０】
2007260037.tif 000012
【図１１】
2007260037.tif 000013
【図１２】
2007260037.tif 000014
【図１３】
2007260037.tif 000015